(57)【要約】【課題】人工芝の細粒充填材を長時間保水状態に維持できるとともに、大目に散水した場合や大雨などにおいても人工芝マット上に水が浮いた状態とならない人工芝の敷設構造を提供することを目的としている。【解決手段】透水孔21aが穿設された基布部21から多数の芝葉状体22が立設するように形成された人工芝マット2が、少なくともポーラスコンクリートからなる保水層11を上端に有する基層部1ａに受けられるように敷設されるとともに、細粒充填材23が、一部が透水孔21ａに入り込んで、保水層11に接して保水層11に保水された水をメニスカス効果によって吸い上げ可能となるように人工芝マット2の芝葉状体22と芝葉状体22との隙間部分に充填されていることを特徴としている。【選択図】      図3
2014105508.tif 000002
【特許請求の範囲】
【請求項１】
透水孔が穿設された基布部から多数の芝葉状体が立設するように形成された人工芝マットが、少なくともポーラスコンクリートからなる保水層を上端に有する基層部に受けられるように敷設されるとともに、
細粒充填材が、一部が前記透水孔に入り込んで、前記保水層に接して前記保水層に保水された水をメニスカス効果によって吸い上げ可能となるように前記人工芝マットの芝葉状体と芝葉状体との隙間部分に充填されていることを特徴とする人工芝の敷設構造。
【請求項２】
細粒充填材が、平均粒径１．５ｍｍ以下である請求項１に記載の人工芝の敷設構造。
【請求項３】
細粒充填材の充填厚みが、０．５〜３．０ｃｍである請求項２に記載の人工芝の敷設構造。
【請求項４】
細粒充填材がケイ砂、リサイクル砂および再生チップからなる群より選ばれた少なくとも１種である請求項１〜請求項３のいずれかに記載の人工芝の敷設構造。
【請求項５】
基層部が、基層部内に入り込んだ水の貯水空間を内部に備えている請求項１〜請求項４のいずれかに記載の人工芝の敷設構造。
【請求項６】
貯水空間が有孔管を基層部内に埋設することによって形成されている請求項４に記載の人工芝の敷設構造。
【請求項７】
基層部が上面を除く周囲を難透水性層あるいは非透水性層で囲繞されているとともに、一端が排水経路に臨み、他端が前記難透水性層あるいは非透水性層を貫通して基層部内に臨み、有孔管に連結されて基層部内の雨水を排水制御する開閉バルブが設けられた排水管を備えている請求項６に記載の人工芝の敷設構造。
【発明の詳細な説明】
【技術分野】
【０００１】
本発明は、例えば、公園、サッカーグランド、野球場、陸上競技場などの人工芝の敷設構造に関する。
【背景技術】
【０００２】
手入れ等が極めて簡単であることから、天然芝のグランドにかえて人工芝のグランドが増えている。
しかし、人工芝のグランドは、天然芝グランドやベアーグランドに比べ、太陽熱によってグランド表面温度が上がりやすく、特に、夏場の炎天下においてはグランド使用者が熱中症などを起こすおそれがある。
特に、人工芝マットは、地面を覆うように設けられたアスファルト上に敷設される場合があるが、かかる場合、上記問題が大きい。
【０００３】
一方、人工芝としては、使用者の足腰への負担を減らしたり、怪我を防止するために、芝目内にケイ砂等の砂やゴム粒体等の細粒充填材を充填したもの（特許文献１）がある。
細粒充填材、特に、砂の層には、保水性があり、かかる人工芝のような構造においては、水を撒いて砂の層に保水させば、保水された水の蒸発熱による冷却効果によってグランドを涼しい状態に保つことができる。
【先行技術文献】
【特許文献】
【０００４】
【特許文献１】特開平１１−２２９３１４号公報
【発明の概要】
【発明が解決しようとする課題】
【０００５】
しかしながら、上記砂の層に保水される水の量はそれ程多くなく、炎天下などにおいては１〜２時間程度の短時間しかその効果が期待できない。
また、水を撒きすぎると、人工芝マット上に水が浮いた状態となるため、散水量のコントロールに気を遣わなくてはならず、散水作業が難しい。
【０００６】
本発明は、上記事情に鑑みて、人工芝の細粒充填材を長時間保水状態に維持できるとともに、大目に散水した場合や大雨などにおいても人工芝マット上に水が浮いた状態とならない人工芝の敷設構造を提供することを目的としている。
【課題を解決するための手段】
【０００７】
上記目的を達成するために、本発明にかかる人工芝の敷設構造（以下、「本発明の敷設構造」とのみ記す）は、透水孔が穿設された基布部から多数の芝葉状体が立設するように形成された人工芝マットが、少なくともポーラスコンクリートからなる保水層を上端に有する基層部に受けられるように敷設されるとともに、細粒充填材が、一部が前記透水孔に入り込んで、前記保水層に接して前記保水層に保水された水をメニスカス効果によって吸い上げ可能となるように前記人工芝マットの芝葉状体と芝葉状体との隙間部分に充填されていることを特徴としている。
【０００８】
上記細粒充填材としては、人工芝の用途に応じて適宜決定できるが、メニスカス効果が高いことから平均粒径１．５ｍｍ以下の粒径のものが好ましく、ケイ砂、リサイクル砂および再生チップ等が好適である。また、これらの細粒充填材は、単独で用いられても、他の細粒充填材と混合して用いられても構わない。
また、細粒充填材の充填厚みは、芝葉状体の形状、長さ、材質等によって適宜選択され、特に限定されないが、人工芝としての使用性能を考慮すると、０．５〜３．０ｃｍが好ましい。
【０００９】
透水孔の径は、特に限定されないが、直径３ｍｍ〜８ｍｍが好ましい。
すなわち、透水孔が小さすぎると透水効果が不十分であり、あまり大きいと、細粒充填材が保水層側に流出しやすくなる。
透水孔の数は、特に限定されないが、直径が３ｍｍ〜８ｍｍの範囲では、１００ｃｍ2あたり、１〜４個が好ましい。
【００１０】
基層部は、人工芝の用途に応じてその強度や厚みが選択されるが、保水層を上端に有することが必要である。
保水層は、透水を妨げない範囲で、メニスカスによる揚水効果を備えるポーラスコンクリートで形成されていれば、特に限定されないが、メニスカスによる揚水効果が良くなるように、細かい骨材を用いたポーラスコンクリートを用いることが好ましい。
すなわち、揚水効果に対しては、ポーラスコンクリートの空隙率の影響は小さく(１５〜３５％程度の範囲において、空隙率が小さい方がやや揚水高さが大きい)、主に骨材の粒径(平均空隙径)に依存する。
【００１１】
因みに、発明者の知見によれば、骨材として９号砕石（粒径０．６〜１．２ｍｍ）を用いたポラスコンクリート（空隙率２５％）の場合、２０ｃｍ程度の揚水高さが得られ、８号砕石（粒径１．２〜２．５ｍｍ）を用いたポラスコンクリート（空隙率２５％）の場合、１５ｃｍ程度の揚水高さが得られ、６号砕石（粒径５〜１３ｍｍ）を用いたポラスコンクリート（空隙率２５％）の場合、５〜１０ｃｍ程度の揚水高さが得られる。
また、揚水高さをコントロールするために、粒径の粗い骨材と細かい骨材とを混合しても構わない。
ただし、９号砕石より小径の骨材を用いた場合、内部の水の移動速度が低下するため、望ましいことではない。
また、本発明の敷設構造においては、基層部は、保水層をメニスカス効果による揚水が可能な厚みに設けるとともに、保水層の下側に水透過性が高く、集中豪雨時等に人工芝上に降り、保水層を介して流れ込んだ雨水を一旦貯水して、河川への雨水の急激な流れ込みを防止して水害を防止できるようにする貯水層を設けることが好ましい。
貯水層は、特に限定されないが、骨材の粒径が５mm以上、空隙率が２５〜３５％、連続空隙率が２０%以上、透水係数が１〜１０cm/sであるポーラスコンクリートが好ましい。
【００１２】
すなわち、骨材の粒径が５mm未満では、貯水層内を水位の低い方に向かって流れにくくなり、豪雨時には人工芝上に降った雨水等が保水層を介して浸透しにくくなり、人工芝マット上に水が浮き、十分な貯水効果を発揮できなくなるおそれがある。
空隙率が２５％未満あるいは連続空隙率が２０％未満では、十分な貯水容積を確保できないおそれがあり、空隙率が３５％を超える程度になると透水及び貯水機能からは望ましくても、製造、施工および管理が困難となりやすい。
透水係数が１cm/s未満では、浸透が遅く、水害対策に要求されるレベルとしては不足するおそれがある。
透水係数が１０cm/sを超える程度になると透水機能からは望ましくても、ワーカビリティが低下するため、製造、施工および管理が困難となる一面が現れる。
【００１３】
本発明において、骨材の粒径は、JIS A 1102(骨材のふるい分け試験方法) を用いて測定される。
空隙率及び連続空隙率は、容積圧力法(日本建築学会構造系論文集第75巻第650号、p1043-1050、2008年7月)、JCI(コンクリート工学協会)から提起されている規準案(ポーラスコンクリートの空隙率試験方法(案))に記載されている容積法を用いて測定される。
透水係数は、上記JCI規準案の(ポーラスコンクリートの透水試験方法(案))に記載の透水試験方法を用いて測定される。
圧縮強度試験法は、JIS A 1108(コンクリートの圧縮強度試験方法) を用いて測定される。
【００１４】
また、本発明の敷設構造は、基層部内に貯水空間となる空洞を設けるようにしてもよい。
貯水空間は、例えば、有孔管を上記基礎部を構成するポーラスコンクリート層内に埋設することによって得られる。
貯水空間は、基層部内で連続するトンネル状に設けられていてもよいし、間欠的に設けられていても構わない。
上記有孔管は、必要な透水性貫通孔を備え、使用時に周囲からかかる荷重に耐えることができれば、特に限定されないが、塩化ビニル樹脂、ポリエチレンなどニルの合成樹脂製の有孔管、ＦＲＰなどの複合材料からなる有孔管、有孔の鋼管、有孔のヒューム管などの有孔の筒状体が挙げられる。
透水性貫通孔の数は、空間形成部材が周囲からかかる荷重によって周壁が破損しない強度が確保することができれば特に限定されないが、空洞部内への雨水の透水性を考慮すると、できるだけ多く設けることが好ましい。
【００１５】
また、本発明の敷設構造は、基層部が上面を除く周囲を難透水性層あるいは非透水性層で囲繞されているとともに、一端が排水経路に臨み、他端が前記難透水性層あるいは非透水性層を貫通して基層部内に臨み、有孔管に連結されて基層部内の雨水を排水制御する開閉バルブが設けられた排水管を備えている構成とし、前記開閉バルブの開度を必要に応じて調整して、基層部に貯まった水の量を排水制御できるようにしてもよい。
上記基層部を囲繞する難透水性層あるいは非透水性層としては、コンクリート壁や縁石などを含む。
【発明の効果】
【００１６】
本発明にかかる人工芝の敷設構造は、以上のように、透水孔が穿設された基布部から多数の芝葉状体が立設するように形成された人工芝マットが、少なくともポーラスコンクリートからなる保水層を上端に有する基層部に受けられるように敷設されるとともに、細粒充填材が、一部が前記透水孔に入り込んで、前記保水層に接して前記保水層に保水された水をメニスカス効果によって吸い上げ可能となるように前記人工芝マットの芝葉状体と芝葉状体との隙間部分に充填されている。
【００１７】
したがって、保水層に水を保水させておくことによって、細粒充填材層中に保水された水の蒸発に伴い、保水層に保水された水がメニスカス効果によって細粒充填材層に吸い上げられる。
すなわち、細粒充填材層が長時間湿った状態を保つため、水の蒸発熱によって人工芝マットの表面温度を低い温度に長時間保持することができ、人工芝上を快適な環境に保つことができる。
【００１８】
そして、人工芝マットが透水孔を備えているので、人工芝マット上に降った過剰の雨水が透水孔を介して保水層に浸透するため、雨水を有効利用することができる。また、過剰に散水しても、余剰の水が保水層に浸透するため、散水作業が容易となる。
【００１９】
さらに、保水層の下方に貯水層や貯水空間を設けるようにすれば、雨水は保水層内をゆっくりと流れ、また一部が保水層に保水される。そして、ゆっくりと保水層に浸透してきた雨水が貯水層あるいは貯水空間に一旦貯水される。したがって、集中豪雨時などに、雨水の流出量低減効果を持つとともに、降雨と時間差を持って排水することにより河川の急激な増水を防止して水害を防止することができる。
また、上記のように貯水層や貯水空間を設けておくことによって、貯水層や貯水空間に貯水された水が保水層に補給され、細粒充填材層を、湿った状態にさらに長時間保つことができる。
【図面の簡単な説明】
【００２０】
【図１】本発明の敷設構造の第１の実施の形態を有孔管の管軸に平行な方向で切断してあらわす断面図である。
【図２】図１の敷設構造の有孔管の管軸に直交する方向で切断してあらわす断面図である。
【図３】図２の拡大断面図である。
【図４】本発明の敷設構造の第２の実施の形態を有孔管の管軸に直交する方向で切断してあらわす断面図である。
【図５】本発明の敷設構造の第３の実施の形態を有孔管の管軸に平行な方向で切断してあらわす断面図である。
【図６】本発明の敷設構造の第４の実施の形態をあらわす要部拡大断面図である。
【図７】ポーラスコンクリート層の骨材の粗さと保水性とをあらわすグラフである。
【発明を実施するための形態】
【００２１】
以下に、本発明を、その実施の形態をあらわす図面を参照しつつ詳しく説明する。
図１〜図３は、本発明にかかる敷設舗装構造の第１の実施の形態をあらわしている。
【００２２】
図１〜図３に示すように、この敷設構造Ａは、基層部１ａと人工芝マット２とを備えている。
基層部１ａは、図３に示すように、保水層１１と、貯水層１２と、貯水空間１３とを備えている。
【００２３】
また、基層部１ａは、その底面が、地面を掘削するとともに、掘削部底面の路床にセメント等の水硬性材料を混合することによって形成された難透水性または非透水性の改質路床３に受けられるとともに、側周面がコンクリート壁等の難透水性あるいは非透水性の側壁４によって囲まれている。
なお、本発明において、難透水性とは、透水係数が０．１cm/ｓ以下であることを意味する。
【００２４】
上記保水層１１は、例えば、９号砕石を骨材として含み、空港率が１５〜３０％のポーラスコンクリートからなり、その高さ方向の寸法は、２０ｃｍ以内である。
貯水層１２は、例えば、６号砕石を骨材として含み、空隙率が２０〜３５％のポーラスコンクリートからなる。
【００２５】
貯水空間１３は、図２に示すように、複数本の透水性貫通孔１４ａを有する有孔管１４を改質路床３に受けさせた状態で貯水層１２内に平行に埋設することによって形成されている。
有孔管１４は、一端が、他の有孔管１４と合流するように接続されたのち、図１に示すように、排水路６に接する側壁４を貫通するように設けられた排水管５に接続されている。
なお、有孔管１４の他端は、基層部１ａ中では、開放されていても閉塞されていても構わない。
【００２６】
また、有孔管１４の透水性貫通孔１４ａは、図示していないが、貯水層１２を構成する骨材及びセメント成分の有孔管１４内への入り込みを防止するための網によって覆われている。なお、網の網目は、骨材及びセメント成分が有孔管１４内に入り込まなければ、できるだけ粗いことが好ましい。
排水管５は、バルブ５１を有している。バルブ５１は、図１に示すように、蓋５２ａを備えた枡５２内に配置され、蓋５２ａを取り除き、図示していない治具を用いて、地上側から開閉動作できるようになっている。
【００２７】
人工芝マット２は、基布部２１と、この基布部２１に立設状態で設けられた芝葉状体２２と、ケイ砂層２３とを備え、基布部２１が保水層１１に下方から受けられるように敷設されている。
また、基布部２１は、１００ｃｍ2あたり、１〜４個の直径３〜８ｍｍ程度の透水孔２１ａが穿設されている。
ケイ砂層２３は、芝葉状体２２と芝葉状体２２との間にケイ砂（０．６〜１．２ｍｍ）が充填されることによって形成されるとともに、ケイ砂層２３を構成するケイ砂の一部が透水孔２１ａ内に入り込んで、保水層１１に受けられている。
【００２８】
この敷設構造Ａは、上記のように構成されているので、以下のような優れた効果を備えている。
（１）基層部１ａを備えているので、人工芝マット２上に降った雨水や散水等のケイ砂層２３に保水できない水が透水孔２１ａを介して保水層１１側に浸透して保水層１１に保水されるとともに、さらに貯水層１２および貯水空間１３内に貯められる。
そして、ケイ砂層２３が透水孔２１ａ部分で保水層１１に受けられているので、ケイ砂層２３の水の蒸発に伴い、メニスカス効果によって保水層１１に保水された水がケイ砂層２３に吸い上げられ、ケイ砂層２３を長時間湿った状態に保持することができる。
一方、天気が回復し、人工芝マット２が太陽光にさらされると、ケイ砂層２３に保水された水が蒸発するため、その蒸発熱によって人工芝マット２の表面温度が低く保たれる。
すなわち、炎天下においても人工芝マット２上の表面温度をケイ砂層２３に保水された水によって、保水していない場合に比べ１０〜２０℃低い温度に長時間保つことができ、炎天下での運動時においても快適な状態を保て、熱中症などを防止することができる。
（２）基層部１ａが、空隙率の高いポーラスコンクリートで形成されているため、高い透水・排水性を維持でき、また、人工芝の支持盤として強固であり、長期に平坦性を維持できる。
（３）貯水層１２および貯水空間１３を備えているので、基層部１ａ内に保水層１１を介して浸透してきた雨水等を貯水層１２および貯水空間１３に貯水することができる。したがって、ゲリラ豪雨の水害防止対策とすることができる。
（４）貯水層１２に貯水された水を保水層１１に補給することができ、保水層１１を介してケイ砂層２３をより長時間湿った状態に保つことができる。
すなわち、保水層１１が貯水層１２および貯水空間１３に貯水された雨水等をケイ砂層２３に揚水層としても働き、ケイ砂層２３からの水の蒸発によって、人工芝マット２上の温度を長時間低温に保つことができ、人工芝マット２上を競技者等が快適な温度環境に長時間保つことができる。
（５）保水層１１を備えているので、散水の場合、人工芝マット２上に散水された余剰な水が保水層１１側に保水される。したがって、散水を行う場合にも気兼ねなく行うことができるため温度を急速に低下させることができる。
（６）基層部１ａがポーラスコンクリートで形成されているため、傾斜部(斜面等)でも人工芝マット２上に降った雨水が基層部１ａの下流側に貯水することができる。
（７）排水管５を備えているので、保水層１１、貯水空間１３および貯水層１２内が水で満杯になり、雨水が人工芝マット２の上面に溢れるような連日の豪雨時には、排水管５のバルブ５１を、状況に応じて必要な開度で開放することによって貯水空間１３内の水を排水して人工芝マット２上の水位をさげることができる。すなわち、排水管５のバルブ５１の開閉によって、基層部１ｄ内の貯水量を排水制御できる。
【００２９】
なお、上記敷設構造は、例えば、以下のようにして施工することができる。
（１）人工芝敷設位置にあたる地面を掘削し、掘削部の底にセメント系改良剤等を散布するとともに、底の土とセメント系改良剤等とを混合したのち、転圧して改質路床３を形成するとともに、モルタル等によって側壁４を形成する。
また、必要に応じて改質路床３上にセメント被膜を形成する。
（２）有孔管１４を改質路床３上に配置するとともに、排水管５と接続した状態に配管する。
（３）貯水層１２となるポーラスコンクリートを有孔管１４が埋設されるように打設したのち、保水層１１となるポーラスコンクリートを貯水層１２上に打設する。
（４）人工芝マット２を保水層１１上に敷設する。
（５）９号ケイ砂を０．５〜３．０ｃｍの厚みのケイ砂層２３となるように人工芝マット２上に載せる。なお、人工芝マット２は、ケイ砂層２３の重みでほぼ動かないように固定できるが、必要に応じてケイ砂層２３を設ける前に、人工芝マット２の基布部２１から保水層１１に向けて固定用釘を打ち込み人工芝マット２を保水層１１に固定しても構わない。
すなわち、保水層１１が細かい骨材からなるポーラスコンクリートで形成されているため、固定用釘によってしっかり固定することができ、斜面等においては特に有用な機能となる。
【００３０】
図４は、本発明の敷設構造の第２の実施の形態をあらわしている。
図４に示すように、この敷設構造Ｂは、基層部１ｂ内に、水平方向だけでなく上下方向にも有孔管１４を並べて形成された貯水空間１３で形成されている以外は、上記敷設構造Ａと同様になっている。
この敷設構造Ｂによれば、貯水層１２及び貯水空間１３の合計容積を大きくして貯水量を増やすことができる。
【００３１】
図５は、本発明の敷設構造の第３の実施の形態をあらわしている。
図５に示すように、この敷設構造Ｃは、基層部１ｃの貯水層１２が、その一部を保水層１１の上面とほぼ面一となり、外部に露出するように設けられ、この貯水層１２の露出部上面がグレーチング７で覆われている以外は、上記の敷設構造Ａと同様になっている。
なお、グレーチング７は、図示していないが、人工芝マット２の端縁に接するように設けられたコンクリート枠内に嵌り込んで、ずれ動かないように設置されている。
【００３２】
この敷設構造Ｃは、上記のように、水が透過しやすい貯水層１２の一部がグレーチング７越しに外部に露出しているので、この露出部分から雨水がすばやく貯水層１２に浸透するため、透過孔２１ａから保水層１１への水の透過速度が遅くても、人工芝マット２に降った雨水の一部は貯水層１２の露出部を介してすばやく貯水層１２に浸透する。すなわち、夕立等の一時的な大雨のときにおいても、人工芝マット２上に水が浮くことを極力防止できる。
【００３３】
図６は、本発明の敷設構造の第４の実施の形態をあらわしている。
図６に示すように、この敷設構造Ｄは、基層部１ｄが、保水層１５と、貯水層１６とを備えているとともに、貯水空間が設けられていない。
【００３４】
保水層１５は、粒径１〜１５ｍｍの砕石を骨材として含み、空隙率１５~３０％のポーラスコンクリートからなり、その厚みが１〜５ｃｍとなっている。
貯水層１６は、粒径５〜３０ｍｍの砕石を骨材として含み、、空隙率２０〜３５％のポーラスコンクリートからなり、その厚みが５〜１００ｃｍとなっている。
図６中、８は、人工芝マット２を保水層１５に固定する固定用釘８である。
【００３５】
この敷設構造Ｄは，保水層１５を細かい骨材からなるポーラスコンクリートで形成して
いるので、施工時のワーカビリティが良好で、人工芝マット２を受ける上面の不陸をうまくなくすことができる。
【００３６】
（実験例１）
６号砕石（粒径５〜１３ｍｍ）を骨材として配合した、直径１０ｃｍ、高さ２０ｃｍの円柱状のポーラスコンクリートからなる保水層サンプル（空隙率２５％）を得た。
【００３７】
（実験例２）
７号砕石（粒径２.５〜５ｍｍ）を骨材として配合した、直径１０ｃｍ、高さ２０ｃｍの円柱状のポーラスコンクリートからなる保水層サンプル（空隙率２５％）を得た。
【００３８】
（実験例３）
８号砕石（粒径１．２〜２．５ｍｍ）を骨材として配合した、直径１０ｃｍ、高さ２０ｃｍの円柱状のポーラスコンクリートからなる保水層サンプル（空隙率２５％）を得た。
【００３９】
（実験例４）
６号砕石（粒径５〜１３ｍｍ）と８号砕石（粒径１．２〜２．５ｍｍ）とを重量比で３：１の割合で混合して混合材料を骨材として配合した、直径１０ｃｍ、高さ２０ｃｍの円柱状のポーラスコンクリートからなる保水層サンプル（空隙率２５％）を得た。
【００４０】
上記実験例１〜４で得られた保水層サンプルをそれぞれ２４時間水中に水没させたのち、水中から取り出して軽く水を切った状態からの自然乾燥時の質量変化をそれぞれ調べ、その結果を図７に示した。
図７から、ポーラスコンクリートの保水機能(内部の空隙部分に水分を保持する機能)は、ポーラスコンクリートの骨材粒径に依存し、粒径が小さいほど保水性が高くなることがわかる。すなわち、内部に蓄えられる水量が大きくなり、また水切れ・乾燥までの時間が長くなる。これは、粒径が小さくなると総表面積が級数的に大きくなり、そこに水分が付着すること、平均空隙径が小さくなり、表面張力による揚水(メニスカス)効果が相対的に大きくなることによると考えられる。
【００４１】
本発明は、上記の実施の形態に限定されない。例えば、上記の実施の形態では、貯水空間内に何も充填されていなかったが、不織布からなる袋状体内に吸水性高分子を充填した吸水材を貯水空間内に配置させてもよい。すなわち、このようにすれば、貯水空間内に浸入してきた雨水が、吸水性高分子に一旦吸水されて貯水空間内に保持される。そして、雨が上がって好天となると、吸収性高分子に吸収された水は、徐々に蒸発して表層から放出される。
上記の実施の形態では、貯水層が改質路床に直接受けられているが、貯水層と改質路床との間にほぼ非透水の薄膜のコンクリート層や、エポキシ樹脂等からなる非透水性層を設けるようにしても構わない。
また、上記の実施形態では基層部を複層としているが、最も適切な粒度の単層として構成することも可能である。
上記の実施の形態では、有孔管が改質路床上に受けられ、貯水槽の底に配置されるようになっていたが、排水性能を確保できれば、貯水層の中間位置に埋設されても構わない。
【符号の説明】
【００４２】
Ａ，Ｂ，Ｃ，Ｄ  敷設構造
１ａ，１ｂ，１ｃ，１ｄ  基層部
１１  保水層（揚水層）
１２  貯水層
１３  貯水空間
１４  有孔管
１５  不陸調整保水層
１６  貯水層
２  人工芝マット
２１  基布部
２１ａ  透水孔
２２  芝葉状体
２３  ケイ砂層
３  改質路床
４  側壁
５  排水管
５１  バルブ
６  排水路
７  グレーチング
８  固定用釘
【図１】
2014105508.tif 000003
【図２】
2014105508.tif 000004
【図３】
2014105508.tif 000005
【図４】
2014105508.tif 000006
【図５】
2014105508.tif 000007
【図６】
2014105508.tif 000008
【図７】
2014105508.tif 000009